(57)【要約】【課題】任意の画像に適したプロファイル作成のための測色作業の負荷を軽減する印刷物、カラーチャート、印刷物特性情報収集装置等を提供する。【解決手段】印刷物１には、画像３と共にカラーチャート７が含まれる。そして、カラーチャート７に含まれるカラーパッチの色は、例えば、画像３に使用される頻度に応じてインキの各色の階調値の組み合わせから選択する。また、印刷物特性情報収集装置の制御部は、画像情報のヒストグラムを作成し、画像３に使用される頻度に応じてインキの各色の階調値の組み合わせからカラーパッチの色を選択する。次に、選択した色を示すカラーパッチの集まりで構成されるカラーチャート７を作成するとともに、対応するインキの各色の階調値の組み合わせを階調値情報として保持する。更に、作業者がカラーパッチを測色した後、測色結果情報と階調値情報を対応付けてプロファイルを作成する。【選択図】図１
2008187214.tif 000002
【特許請求の範囲】
【請求項１】
画像と、
前記画像の印刷に使用されるインキの各色の階調値の組み合わせから所定の条件で選択された色を示すカラーパッチの集まりで構成されるカラーチャートと、
が印刷された印刷物。
【請求項２】
前記所定の条件は、前記画像に使用される頻度に応じて前記インキの各色の階調値の組み合わせからカラーパッチの色を選択するものであることを特徴とする請求項１に記載の印刷物。
【請求項３】
請求項１または請求項２に記載のカラーチャート。
【請求項４】
画像が印刷された印刷物の特性情報を収集する装置であって、
前記画像のヒストグラムを作成するヒストグラム作成手段と、
前記ヒストグラムを参照し、前記画像に使用される頻度に応じてインキの各色の階調値の組み合わせからカラーパッチの色を選択する色選択手段と、
選択した色を示す前記カラーパッチの集まりで構成されるカラーチャートを作成するカラーチャート作成手段と、
を具備することを特徴とする印刷物特性情報収集装置。
【請求項５】
選択した色を示す前記カラーパッチに対応する前記インキの各色の階調値の組み合わせを階調値情報として保持する階調値情報保持手段と、
印刷された前記カラーチャートに含まれる前記カラーパッチの測色結果情報と前記階調値情報を対応付けてプロファイルを作成するプロファイル作成手段と、
を更に具備することを特徴とする請求項４に記載の印刷物特性情報収集装置。
【請求項６】
画像が印刷された印刷物の特性情報を収集する方法であって、
前記画像のヒストグラムを作成するステップと、
前記ヒストグラムを参照し、前記画像に使用される頻度に応じてインキの各色の階調値の組み合わせからカラーパッチの色を選択するステップと、
選択した色を示す前記カラーパッチの集まりで構成されるカラーチャートを作成するステップと、
を含むことを特徴とする印刷物特性情報収集方法。
【請求項７】
選択した色を示す前記カラーパッチに対応する前記インキの各色の階調値の組み合わせを階調値情報として保持するステップと、
印刷された前記カラーチャートに含まれる前記カラーパッチの測色結果情報と前記階調値情報を対応付けてプロファイルを作成するステップと、
を更に含むことを特徴とする請求項６に記載の印刷物特性情報収集方法。
【請求項８】
コンピュータを請求項４または請求項５に記載の印刷物特性情報収集装置として機能させるプログラム。
【発明の詳細な説明】
【技術分野】
【０００１】
本発明は、画像と共にカラーチャートが印刷された印刷物、カラーチャート、印刷物の特性情報を収集する印刷物特性情報収集装置、印刷物特性情報収集方法、プログラムに関する。
【背景技術】
【０００２】
建材等の印刷は、一般に、グラビア印刷方式で行われる。ここで、雑誌等のグラビア印刷では、シアン、マゼンタ、イエロー、ブラックといったプロセスカラーと呼ばれる４色のインキを用いるのが普通であるが、建材等のグラビア印刷では、目的や用途に適したインキが用いられる。これは、求められる物性 (接着性や耐候性等) に合ったものを使用するためでもあるが、プロセスカラーでは表現しにくい色調を出すためでもある。そのため、建材等の印刷作業では、インキの色合いを決定する工程が重要となる。
【０００３】
こうした作業の中で、例えば、グラビア印刷等による印刷物と類似した色調を持ったデジタル出力を必要とする場合がある。このような場合、レタッチ作業により、対象とする印刷物とコンピュータの画面を見比べながら、色調を合わせる作業が一般的である。しかし、レタッチ作業は熟練者が行う必要があり、負荷が高い作業である。また、色調を合わせることができても、同じ色調でグラビア印刷を行う際は、逆にグラビア印刷等による印刷物の色調をデジタル出力に合わせる作業が必要となる。一方、別の方法として、対象とする印刷物から採取した測色値をもとにしたプロファイルを作成し、プロファイルを活用することで、印刷物と整合性の高いデジタル出力を得ることができる。ここで、プロファイルとは、色変換における辞書に相当する情報である。特に、ＩＣＣ（Ｉｎｔｅｒｎａｔｉｏｎａｌ  Ｃｏｌｏｒ  Ｃｏｎｓｏｒｔｉｕｍ）規格準拠のプロファイルは、ＩＣＣプロファイルと呼ばれる。本発明者らは、特許文献１に開示されているように、プロファイルを用いて色合い決定作業の負担を軽減する仕組みを提案している。特許文献１に開示された発明によって、色合い決定作業の負担が大幅に軽減された。
【特許文献１】特開２００６−１８７９６４号公報
【発明の開示】
【発明が解決しようとする課題】
【０００４】
しかしながら、プロファイルを作成するためには、数百色のカラーパッチで構成される専用のカラーチャートを含む版を作成し、作成した版を用いて印刷した印刷物のカラーパッチを測色する必要があった。そのため、プロファイルの作成作業は、負荷の高い作業であった。
【０００５】
本発明は、前述した問題点に鑑みてなされたもので、その目的は任意の画像に適したプロファイル作成のための測色作業の負荷を軽減する印刷物、カラーチャート、印刷物特性情報収集装置等を提供することである。
【課題を解決するための手段】
【０００６】
前述した目的を達成するために第１の発明は、画像と、前記画像の印刷に使用されるインキの各色の階調値の組み合わせから所定の条件で選択された色を示すカラーパッチの集まりで構成されるカラーチャートと、が印刷された印刷物である。
更に、前記所定の条件は、前記画像に使用される頻度に応じて前記インキの各色の階調値の組み合わせからカラーパッチの色を選択するものであることが望ましい。
【０００７】
第２の発明は、請求項１または請求項２に記載のカラーチャートである。
【０００８】
第３の発明は、画像が印刷された印刷物の特性情報を収集する装置であって、前記画像のヒストグラムを作成するヒストグラム作成手段と、前記ヒストグラムを参照し、前記画像に使用される頻度に応じてインキの各色の階調値の組み合わせからカラーパッチの色を選択する色選択手段と、選択した色を示す前記カラーパッチの集まりで構成されるカラーチャートを作成するカラーチャート作成手段と、を具備することを特徴とする印刷物特性情報収集装置である。
更に、選択した色を示す前記カラーパッチに対応する前記インキの各色の階調値の組み合わせを階調値情報として保持する階調値情報保持手段と、印刷された前記カラーチャートに含まれる前記カラーパッチの測色結果情報と前記階調値情報を対応付けてプロファイルを作成するプロファイル作成手段と、を具備することが望ましい。
【０００９】
第４の発明は、画像が印刷された印刷物の特性情報を収集する方法であって、前記画像のヒストグラムを作成するステップと、前記ヒストグラムを参照し、前記画像に使用される頻度に応じてインキの各色の階調値の組み合わせからカラーパッチの色を選択するステップと、選択した色を示す前記カラーパッチの集まりで構成されるカラーチャートを作成するステップと、を含むことを特徴とする印刷物特性情報収集方法である。
更に、選択した色を示す前記カラーパッチに対応する前記インキの各色の階調値の組み合わせを階調値情報として保持するステップと、印刷された前記カラーチャートに含まれる前記カラーパッチの測色結果情報と前記階調値情報を対応付けてプロファイルを作成するステップと、を含むことが望ましい。
【００１０】
第５の発明は、コンピュータを請求項４または請求項５に記載の印刷物特性情報収集装置として機能させるプログラムである。
【発明の効果】
【００１１】
本発明により、任意の画像に適したプロファイル作成のための測色作業の負荷を軽減する印刷物、カラーチャート、印刷物特性情報収集装置等を提供することができる。
【発明を実施するための最良の形態】
【００１２】
以下図面に基づいて、本発明の実施形態を詳細に説明する。
【００１３】
最初に、第１の実施形態を詳細に説明する。
図１は、第１の実施の形態に係る印刷物１の１例を示す図である。
印刷物１は、画像３、色玉５、カラーチャート７、階調スケール９等を備える。
尚、図１では、色玉５、カラーチャート７、階調スケール９における色の違いを模様の違いで表現している。
【００１４】
画像３は、特性情報を収集する対象の印刷物１に印刷される。例えば、建材等に印刷される木目調の意匠等である。
【００１５】
色玉５は、画像３の印刷に使用されるインキの色を示すもの（円、楕円、矩形等、形状は問わない）である。色玉５は、例えば、インキの濃度管理等に用いられる。但し、プロファイルの作成においては、色玉５の色は測色対象となる。色玉５の混色が、後述するカラーチャート７のカラーパッチの色に相当する。
【００１６】
カラーチャート７は、インキの各色の階調値の組み合わせから所定の条件で選択された色を示すカラーパッチの集まりである。ここで、例えば、各色は２５６階調であり、３色の階調を組み合わせると約１６００万色になり、４色の階調を組み合わせると約４３億色になる。
通常、プロファイルを作成するためには、色空間全体から偏りなく選んだ各色の階調値の組み合わせが必要であり、カラーパッチの数は数百色となる。しかし、図２の説明において後述するように、建材等に使用される画像３では、所定の条件に従って選択することで、カラーパッチの数を減らしても色再現の精度が保たれるプロファイルを作成することができる。
【００１７】
図２は、建材等に使用される画像３のヒストグラムの１例を示す図である。
図２には、ＣＭＹＫ４色のヒストグラム２１、シアンのヒストグラム２３、マゼンタのヒストグラム２５、イエローのヒストグラム２７、ブラックのヒストグラム２９が表示されている。ここで、図２に示す例は、ブラックが未使用の場合であるため、対応するヒストグラムは表示されていない。また、シアン、マゼンタ、イエロー、ブラックといった色は、４色を区別するための便宜上の呼称であり、実際の色とは何ら関係がない。実際の色は、画像３の印刷に使用されるインキの色である。
ヒストグラムは、横軸が各色の階調値、縦軸が画像３に使用される頻度であり、画像３に使用される各色の濃度の分布をグラフに表示したものである。
図２に示すように、建材等に使用される画像３は、各色の濃度の分布が局所的に集中していることがある。すなわち、画像３に使用される各色の階調値には、偏りがあることになる。こうした画像３の特性に応じて、例えば、画像３に使用される頻度に応じてインキの各色の階調値の組み合わせからカラーパッチの色を選択することで、色再現の精度が保たれるプロファイルを作成することができる。
尚、建材等に使用される画像３に対しては、カラーパッチの数は７０〜１００色で十分な色再現の精度を保つことが可能である。
【００１８】
階調スケール９は、色玉５の色の濃淡を段階的に推移させたカラーパッチの集まりである。１つの色玉５に対し、１本の帯が対応する。階調スケール９は、例えば、インキごとの階調性能評価等に用いられる。
【００１９】
以上詳細に説明したように、第１の実施の形態によれば、印刷物１には、画像３と共に色玉５とカラーチャート７が含まれる。そして、カラーチャート７に含まれるカラーパッチの色は、例えば、画像３に使用される頻度に応じてインキの各色の階調値の組み合わせから選択する。
【００２０】
第１の実施の形態によって、画像３に適したプロファイルを作成する場合、測色が必要なカラーパッチが極めて少ないことから、測色負荷を軽減することができる。あるいは、同じカラーパッチの数であっても、対象となる画像３を表現するために適した精度の良いプロファイルを作成することができる。
また、画像３と共に色玉５とカラーチャート７が同一の印刷物１に同時に印刷されることで、印刷のばらつきやインキの変動を抑えた測色対象を得ることができる。
【００２１】
尚、当然ながら、カラーチャート７を具備する物は、印刷物１に限定されない。例えば、印刷物１を印刷するために用いられる刷版（印刷機にセットされる版）や、その基になる画像データ等にもカラーチャート７が配置されることになる。
【００２２】
また、本実施の形態では、画像３の特性に応じて、カラーパッチの色を選択したが、例えば、印刷方式の特性に応じて、カラーパッチの色を選択しても良い。そうすることで、印刷方式の特性を忠実に再現するプロファイルを作成することができる。
【００２３】
次に、第２の実施形態を詳細に説明する。
図３は、第２の実施の形態に係る印刷物特性情報収集装置３１を実現するコンピュータのハードウェア構成図である。
印刷物特性情報収集装置３１は、制御部３３、記憶部３５、メディア入出力部３７、通信制御部３９、入力部４１、表示部４３、周辺機器Ｉ／Ｆ部４５等が、バス４７と介して接続される。
【００２４】
制御部３３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００２５】
ＣＰＵは、記憶部３５、ＲＯＭ、記録媒体等に格納されるプログラムをＲＡＭ上のワークメモリ領域に呼び出して実行し、バス４７を介して接続された各装置を駆動制御し、印刷物特性情報収集装置３１が行う後述する処理（図５参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３５、ＲＯＭ、記録媒体等からロードしたプログラム、データ等を一時的に保持するとともに、制御部３３が各種処理を行う為に使用するワークエリアを備える。
【００２６】
記憶部３５は、ＨＤＤ（ハードディスクドライブ）であり、制御部３３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部３３により必要に応じて読み出されてＲＡＭに移され、ＣＰＵに読み出されて各種の手段として実行される。
【００２７】
メディア入出力部３７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００２８】
通信制御部３９は、通信制御装置、通信ポート等を有し、コンピュータとネットワーク４９間の通信を媒介する通信インタフェースであり、ネットワーク４９を介して、他のコンピュータ間との通信制御を行う。
【００２９】
入力部４１は、データの入力を行い、例えば、キーボード、マウス等のポインティングデバイス、テンキー等の入力装置を有する。
入力部４１を介して、コンピュータに対して、操作指示、動作指示、データ入力等を行うことができる。
【００３０】
表示部４３は、ＣＲＴモニタ、液晶パネル等のディスプレイ装置、ディスプレイ装置と連携してコンピュータのビデオ機能を実現するための論理回路等（ビデオアダプタ等）を有する。
【００３１】
周辺機器Ｉ／Ｆ（インタフェース）部４５は、コンピュータに周辺機器を接続させるためのポートであり、周辺機器Ｉ／Ｆ部４５を介してコンピュータは周辺機器とのデータの送受信を行う。周辺機器Ｉ／Ｆ部４５は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００３２】
バス４７は、各装置間の制御信号、データ信号等の授受を媒介する経路である。
【００３３】
次に、図４を参照しながら、印刷物特性情報収集装置３１の構成について説明する。
図４は、印刷物特性情報収集装置３１の概略構成図である。
【００３４】
印刷物特性情報収集装置３１は、画像情報の入力手段５１、ヒストグラム作成手段５３、色選択手段５５、カラーチャート作成手段５７、階調値情報データベース５９、測色結果情報の入力手段６１、プロファイル作成手段６３等を備える。
【００３５】
画像情報の入力手段５１は、印刷特性情報を収集する対象の画像情報を入力する。データの入力は、周辺機器Ｉ／Ｆ部４５を介して、例えば、スキャナ等の画像読取装置によって行う。尚、スキャナ等を用いる場合、画像情報はデバイスに依存した色空間（例えば、ＲＧＢ空間）の値で入力されることから、カラーマネジメントシステム（ＣＭＳ：Ｃｏｌｏｒ  Ｍａｎａｇｅｍｅｎｔ  Ｓｙｓｔｅｍ）を利用して、デバイスに依存しない色空間の値に変換する。
【００３６】
ヒストグラム作成手段５３は、入力された画像情報のヒストグラムを作成する。第１の実施の形態における図２の説明で前述したように、ヒストグラムは、横軸が各色の階調値、縦軸が画像３に使用される頻度であり、画像３に使用される各色の濃度の分布をグラフに表示したものである。
尚、作成したヒストグラムは、作業者が確認できるように、表示部４３に表示することが望ましい。
【００３７】
色選択手段５５は、ヒストグラムを参照し、画像３に使用される頻度に応じてインキの各色の階調値の組み合わせからカラーパッチの色を選択する。第１の実施の形態における図２の説明で前述したように、建材等の画像３に使用される各色の階調値には偏りがある。こうした画像３の特性に応じて、例えば、画像３に使用される頻度に応じてインキの各色の階調値の組み合わせからカラーパッチの色を選択する。具体的には、例えば、画像３に使用される頻度が高い順から選択していく。また、例えば、画像３に使用される頻度が一定の値を超えるものは全て選択する。
【００３８】
カラーチャート作成手段５７は、選択した色を示すカラーパッチの集まりで構成されるカラーチャート７を作成する。カラーパッチの配置は、特に決まりはなく、例えば、頻度に応じて整列しても良いし、階調値に応じて整列しても良い。
尚、作成したカラーチャート７は、作業者が確認できるように、表示部４３に表示することが望ましい。また、色玉５と階調スケール９も合わせて表示部４３に表示することが望ましい。
【００３９】
階調値情報保持手段としての階調値情報データベース５９は、選択した色を示すカラーパッチに対応するインキの各色の階調値の組み合わせを階調値情報として保持する。第１の実施の形態における図１の説明で前述したように、例えば、各色は２５６階調である。そして、インキの各色の階調値の組み合わせ、例えば、（シアン、マゼンタ、イエロー）＝（０、１２７、２５５）という値を階調値情報として保持する。ここで、シアン、マゼンタ、イエローは、３色を区別するために便宜上用いた呼称であり、実際のインキの色とは関係がなくても良い。
【００４０】
測色結果情報の入力手段６１は、印刷されたカラーチャート７に含まれるカラーパッチの測色結果情報を入力する。データの入力は、入力部４１を介して行っても良い。また、メディア入出力部３７を用いても良い。また、ネットワーク４９を介して、他のコンピュータからデータを送信しても良い。
【００４１】
プロファイル作成手段６３は、測色結果情報と階調値情報を対応付けてプロファイルを作成する。測色結果情報と階調値情報の対応付けは、例えば、カラーパッチの配置場所情報を用いる。また、例えば、ＩＣＣプロファイルを作成する場合、公開されているＩＣＣプロファイルの仕様に基づいて作成する。尚、プロファイルの活用にあたり、印刷の原反名、インキ名、各インキの刷版条件等の情報も必要である。これらの情報は、前述した測色結果情報の入力手段６１によって、測色結果情報として入力される。
尚、作成したプロファイルは、プロファイル情報６５として、記憶部３５に保持する。
【００４２】
次に、図５を参照しながら、印刷物特性情報収集装置３１の動作の詳細について説明する。
図５は、印刷物特性情報収集装置３１の処理手順を示すフローチャートである。
【００４３】
図５に示すように、周辺機器Ｉ／Ｆ部４５を介して、画像情報が入力されると（ステップ１０１）、制御部３３は、入力された画像情報のヒストグラムを作成する（ステップ１０２）。
【００４４】
次に、制御部３３は、作成したヒストグラムを参照し、画像３に使用される頻度に応じてインキの各色の階調値の組み合わせからカラーパッチの色を選択する（ステップ１０３）。カラーパッチの色は、例えば、画像３に使用される頻度が高い順から選択していく。また、例えば、一定の頻度を超えるものは全て選択する。
尚、選択するカラーパッチの数は、入力部４１を介して、作業者が指定入力できることが望ましい。これは、印刷物１にカラーチャート７を配置できる領域が限定されている場合等において、色再現の精度とのトレードオフを考慮して、作業者が決定できるようにするためである。
【００４５】
次に、制御部３３は、選択した色を示すカラーパッチの集まりで構成されるカラーチャート７を作成する（ステップ１０４）。
尚、作成したカラーチャート７の情報は、実際に画像３を印刷する装置に入力できるデータ形式等に変換する。そして、作業者は、作成したカラーチャート７の情報を基に、第１の実施の形態における印刷物１を印刷する。
【００４６】
次に、制御部３３は、選択した色を示すカラーパッチに対応するインキの各色の階調値の組み合わせを階調値情報として保持する（ステップ１０５）。ここで、階調値情報は、作成したカラーチャート７に配置したカラーパッチの配置場所情報と共に保持する。
そして、作業者は、色測定器を用いて、印刷物１に配置されたカラーチャート７に含まれるカラーパッチを測色する。尚、印刷物１に配置された色玉５も測色対象である。
【００４７】
次に、入力部４１を介して、測色結果情報が入力されると（ステップ１０６）、制御部３３は、測色結果情報と階調値情報を対応付けてプロファイルを作成する（ステップ１０７）。ここで、測色結果情報はカラーパッチの配置場所情報を含み、測色結果情報と階調値情報の対応付けは、カラーパッチの配置場所情報を用いる。また、測色結果情報は、印刷の原反名、インキ名、各インキの刷版条件等の情報も含む。
尚、作成したプロファイルの情報は、例えば、入力部４１を介して、作業者がファイル名を指定入力し、ファイル名と共に記憶部３５に保持することが望ましい。
【００４８】
以上詳細に説明したように、第２の実施の形態によれば、制御部３３は、画像情報のヒストグラムを作成し、画像３に使用される頻度に応じてインキの各色の階調値の組み合わせからカラーパッチの色を選択する。次に、選択した色を示すカラーパッチの集まりで構成されるカラーチャート７を作成するとともに、対応するインキの各色の階調値の組み合わせを階調値情報として保持する。
更に、作業者がカラーパッチを測色した後、測色結果情報と階調値情報を対応付けてプロファイルを作成する。
【００４９】
第２の実施の形態によって、第１の実施の形態の印刷物１に配置されるカラーチャート７を作成することができる。
更に、プロファイルの作成までを一貫して行うことで、印刷物１の特性情報を収集する負荷が大幅に軽減される。
そして、プロファイルを活用することで、印刷物１と整合性の高いデジタル出力を得ることができる。
【００５０】
尚、図５に示す処理を行うプログラムは、ＣＤ−ＲＯＭ等の記録媒体に保持させて流通させても良いし、通信回線を介して送受信することもできる。
【００５１】
以上、添付図面を参照しながら、本発明に係る印刷物、カラーチャート、印刷物特性情報収集装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、建材以外の一般の写真、画像にも有効であり、その画像に適したプロファイルを作成したり、その画像の特定部分（例えば、人の顔等）の精度を高めたプロファイルを作成することができる。
【図面の簡単な説明】
【００５２】
【図１】印刷物１の１例を示す図
【図２】建材等に使用される画像３のヒストグラムの１例を示す図
【図３】印刷物特性情報収集装置３１を実現するコンピュータのハードウェア構成図
【図４】印刷物特性情報収集装置３１の概略構成図
【図５】印刷物特性情報収集装置３１の処理手順を示すフローチャート
【符号の説明】
【００５３】
１………印刷物
３………画像
５………色玉
７………カラーチャート
９………階調スケール
２１………ＣＭＹＫ４色のヒストグラム
２３………シアンのヒストグラム
２５………マゼンタのヒストグラム
２７………イエローのヒストグラム
２９………ブラックのヒストグラム
３１………印刷物特性情報収集装置
３３………制御部
３５………記憶部
３７………メディア入出力部
３９………通信制御部
４１………入力部
４３………表示部
４５………周辺機器Ｉ／Ｆ部
４７………バス
４９………ネットワーク
【図１】
2008187214.tif 000003
【図２】
2008187214.tif 000004
【図３】
2008187214.tif 000005
【図４】
2008187214.tif 000006
【図５】
2008187214.tif 000007